【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
プロセス制御システム内における携帯型フィールド保守ツールとプロセス制御資産管理システムアプリケーションの間のデータ同期の方法であって、
携帯型フィールド保守ツールでデータ一式を、データ一式の中の変更に呼応して、プロセス制御資産管理システムの無線通信チャネルを介して前記プロセス制御資産管理システム内の携帯型フィールド保守ツール通信サーバへ自動的に転送することであって、前記プロセス制御資産管理システムは、デジタルプロセス通信チャネルを介して通信可能にフィールドデバイスに接続されており、前記データ一式は、前記携帯型フィールド保守ツールとプロセス制御資産管理システムアプリケーションとの間の通信セッション中の前記携帯型フィールド保守ツールと前記プロセス制御資産管理システムアプリケーションの間のデータ一式と自動的に同期するためのルール一式によって定義され、前記携帯型フィールド保守ツールと前記携帯型フィールド保守ツール通信サーバはそれぞれ前記プロセス制御資産管理システムの通信プロトコル上に積層されたフィールドデバイスの通信プロトコルのフレームワークを有しており、前記プロセス制御資産管理システムのプロトコルはネットワーク通信プロトコル上に積層され、前記データ一式は、前記プロセス制御資産管理システムの前記通信プロトコルにラップされており、
さらに、前記携帯型フィールド保守ツール通信サーバによって、前記データ一式の自動転送に呼応して、前記携帯型フィールド保守ツール通信サーバからのデータ一式が前記プロセス制御資産管理システムアプリケーションと同期する準備が整ったことを前記プロセス制御資産管理システムアプリケーションに通知することと、
前記プロセス制御資産管理システムアプリケーションによって、その通知に呼応して、前記データ一式を前記携帯型フィールド保守ツール通信サーバから前記プロセス制御資産管理システムアプリケーションに転送し始めて、プロセス制御資産管理アプリケーション内のデータ一式を携帯型フィールド保守ツールからのデータ一式と同期することと、
前記プロセス制御資産管理システムアプリケーションによって、データ一式の転送の完了に呼応して、前記データ一式が変更されたことを知らせるユーザインターフェース更新メッセージを複数のプロセス制御資産管理システムステーションへ発行することと、
前記複数のプロセス制御資産管理ステーションのうちの１つ以上におけるユーザインターフェースによって、前記データ一式における変更によって影響を受ける表示画面を更新することと、
前記プロセス制御資産管理システムによって、前記データ一式における前記変更に関連するプロセス制御システムの操作を実行することとを含む、前記方法。
【請求項２】
さらに、
前記携帯型フィールド保守ツールを前記携帯型フィールド保守ツール通信サーバに、前記携帯型フィールド保守ツール上のデータ一式における変更に呼応して無線通信チャネルを介して、自動的に通信可能に接続することを備え、
前記データ一式を自動的に転送することは、前記携帯型フィールド保守ツールを前記携帯型フィールド保守ツール通信サーバに通信可能に接続すると、前記携帯型フィールド保守ツールによって前記データ一式をプロセス制御システムの無線通信チャネルを介してプロセス制御資産管理システム内の前記携帯型フィールド保守ツール通信サーバに自動的に転送することとをさらに含むことを特徴とする請求項１に記載の方法。
【請求項３】
さらに、
前記携帯型フィールド保守ツールによって前記携帯型フィールド保守ツールの一意的識別子を含む発見データを無線通信チャネル上でブロードキャストすることと、
前記発見データを受信することに呼応して、前記プロセス制御資産管理アプリケーションによって、前記携帯型フィールド保守ツールの認可状態を、（１）データ一式を携帯型フィールド保守ツール接続サーバに自動的に転送することが認可されていない、から（２）データ一式を携帯型フィールド保守ツール接続サーバに自動的に転送することが認可されている、へ設定することと、
前記プロセス制御資産管理アプリケーションによって、前記携帯型フィールド保守ツールの前記認可状態を、前記複数のプロセス制御資産管理ステーションまで維持することとを含む請求項１又は請求項２に記載の方法。
【請求項４】
前記データ一式は、前記フィールドデバイスとは別に維持したフィールドデバイスの構成を表すユーザ構成と、フィールドデバイス及び／または携帯型フィールド保守ツールに関連するイベントの記録を表すイベント監査記録）と、前記携帯型フィールド保守ツール及び／または前記携帯型フィールド保守ツールのユーザに関連するセキュリティ設定を表すセキュリティ設定、及び前記フィールドデバイスに特化したフィールドデバイスの構成を表すフィールドデバイス構成と、のうちの１つ以上を含むことを特徴とする請求項１乃至請求項３のいずれか１項に記載の方法。
【請求項５】
前記データ一式を前記携帯型フィールド保守ツール通信サーバに自動的に転送することは、前記携帯型フィールド保守ツールがすでに前記携帯型フィールド保守ツール通信サーバと通信状態にある場合に前記データ一式に対して変更が加えられると、前記データ一式を前記携帯型フィールド保守ツール通信サーバに自動的に転送することを含むことを特徴とする請求項１乃至請求項４のいずれか１項に記載の方法。
【請求項６】
前記データ一式を前記携帯型フィールド保守ツール通信サーバに自動的に転送することは、前記携帯型フィールド保守ツールが前記携帯型フィールド保守ツール通信サーバと通信状態にない場合に前記データ一式に対して変更が加えられると、前記携帯型フィールド保守ツールと前記携帯型フィールド保守ツール通信サーバの間で通信が確立すると、前記データ一式を前記携帯型フィールド保守ツール通信サーバに自動的に転送することを含むことを特徴とする請求項１乃至請求項５のいずれか１項に記載の方法。
【請求項７】
プロセス制御システム内における携帯型フィールド保守ツールとプロセス制御資産管理システムアプリケーションの間のデータ一式を同期するためのシステムであって、
携帯型フィールド保守ツール通信サーバと、
前記携帯型フィールド保守ツール通信サーバに通信可能に接続されたプロセス制御資産管理システムアプリケーションと、を備え、
前記携帯型フィールド保守ツール通信サーバは、
無線通信チャネルを介して前記携帯型フィールド保守ツールと通信可能に接続されるように構成されるとともに、
前記無線通信チャネルを介して前記携帯型フィールド保守ツールからデータ一式を受信するように構成されており、前記データ一式は、携帯型フィールド保守ツールとプロセス制御資産管理システムアプリケーションとの間の通信セッション中の前記携帯型フィールド保守ツールと前記プロセス制御資産管理システムアプリケーションの間のデータ一式と自動的に同期するためのルール一式によって定義され、前記携帯型フィールド保守ツールと前記携帯型フィールド保守ツール通信サーバはそれぞれ前記プロセス制御資産管理システムの通信プロトコル上に積層されたフィールドデバイスの通信プロトコルのフレームワークを有しており、プロセス制御資産管理システムのプロトコルはネットワーク通信プロトコル上に積層され、前記データ一式は、前記プロセス制御資産管理システムの前記通信プロトコルにラップされているとともに、
前記携帯型フィールド保守ツール通信サーバからのデータ一式が前記携帯型フィールド保守ツールから前記データ一式を受信して前記プロセス制御資産管理システムアプリケーションと同期する準備が整ったことをプロセス制御資産管理システムアプリケーションに自動的に通知するように構成されており、
前記プロセス制御資産管理システムアプリケーションは、
前記通知を受信すると、前記データ一式を前記携帯型フィールド保守ツール通信サーバから前記プロセス制御資産管理システムアプリケーションに自動的に転送し始めて、プロセス制御資産管理アプリケーション内のデータ一式を前記携帯型フィールド保守ツールからのデータ一式と同期するように構成されているとともに、
データ一式が変更された複数のプロセス制御資産管理ステーションにユーザインターフェースの更新メッセージを発行するように構成され、さらに
前記データ一式における前記変更に関連する前記プロセス制御システムの操作を実行するように構成されたことを特徴とする前記システム。
【請求項８】
前記携帯型フィールド保守ツール通信サーバは、前記無線通信チャネル上で前記携帯型フィールド保守ツールによる発見データのブロードキャストを受信するとともに、前記発見データを前記プロセス制御資産管理アプリケーションに渡すように構成され、前記発見データは、前記携帯型フィールド保守ツールの一意的識別子を備え、
前記プロセス制御資産管理アプリケーションは、
前記発見データを受信することに呼応して、前記携帯型フィールド保守ツールの認可状態を、（１）データ一式を携帯型フィールド保守ツール接続サーバに自動的に転送することが認可されていない、から（２）フィールドデバイス構成ファイルを前記携帯型フィールド保守ツール接続サーバに自動的に転送することが認可されている、へ設定し、
前記携帯型フィールド保守ツールの前記認可状態を、前記複数のプロセス制御資産管理ステーションまで維持することとを含む請求項７に記載のシステム。
【請求項９】
前記データ一式は、前記フィールドデバイスとは別に維持したフィールドデバイスの構成を表すユーザ構成と、前記フィールドデバイス及び／または前記携帯型フィールド保守ツールに関連するイベントの記録を表すイベント監査記録と、前記携帯型フィールド保守ツール及び／または前記携帯型フィールド保守ツールのユーザに関連するセキュリティ設定を表すセキュリティ設定、及び前記フィールドデバイスに特化したフィールドデバイスの構成を表すフィールドデバイス構成と、のうちの１つ以上を含むことを特徴とする請求項７又は請求項８に記載のシステム。
【請求項１０】
前記携帯型フィールド保守ツール通信サーバは、前記携帯型フィールド保守ツールが前記携帯型フィールド保守ツール通信サーバとすでに通信状態にある場合には、前記携帯型フィールド保守ツールのデータ一式に対して変更が加えられると前記データ一式を受信するように構成されていることを特徴とする請求項７乃至請求項９のいずれか１項に記載のシステム。
【請求項１１】
前記携帯型フィールド保守ツール通信サーバは、前記携帯型フィールド保守ツールが前記携帯型フィールド保守ツール通信サーバと通信状態にない場合に前記データ一式に対して変更が加えられると前記携帯型フィールド保守ツールと前記携帯型フィールド保守ツール通信サーバの間で通信が確立すると、前記データ一式を前記携帯型フィールド保守ツール通信サーバに受信するように構成されていることを特徴とする請求項７乃至請求項１０のいずれか１項に記載のシステム。
【請求項１２】
筐体と、
前記筐体内に配設されたプロセッサと、
前記筐体内に配設され、前記プロセッサに操作可能に接続されたメモリと、
前記筐体内に配設されるとともに前記プロセッサと前記メモリに操作可能に接続され、プロセス制御資産管理システムの無線通信チャネルに通信可能に接続するように構成された無線コミュニケーションインターフェースと、
前記筐体内に配設され、前記無線通信インターフェースに通信可能に接続され、前記プロセス制御資産管理システムの通信プロトコル上に積層されたフィールドデバイスの通信プロトコルのフレームワークを使用して前記無線通信チャネルに対する前記通信信号をエンコードするように構成された通信回路と、を備え前記プロセス制御資産管理システムのプロトコルはネットワーク通信プロトコル上に積層され、
さらに、前記メモリに保存され、前記プロセッサによって実行されると、データ一式の変更に呼応してプロセス制御資産管理システムの無線通信チャネルを介して前記プロセス制御資産管理システム内でデータ一式を携帯型フィールド保守ツール通信サーバに自動的に転送するように構成されたクライアントアプリケーションと、を備え、前記データ一式は、前記携帯型フィールド保守ツールと前記プロセス制御資産管理システムアプリケーションとの間の通信セッション中に前記携帯型フィールド保守ツールと前記プロセス制御資産管理システムアプリケーションの間における前記データ一式の自動同期化のルール一式によって定義され、前記データ一式は、前記プロセス制御資産管理システムの前記通信プロトコル内にラップされていることを特徴とする携帯型フィールド保守ツール。
【請求項１３】
前記通信回路は、本質的安全な操作ができるように構成された請求項１２に記載の携帯型フィールド保守ツール。
【請求項１４】
前記クライアントアプリケーションは、さらに、前記プロセッサによって実行されると、
前記携帯型フィールド保守ツールを前記携帯型フィールド保守ツール通信サーバに、前記携帯型フィールド保守ツール上のデータ一式における変更に呼応して無線通信チャネルを介して、自動的に通信可能に接続するように構成され、
前記クライアントアプリケーションは、前記プロセッサによって実行されると、前記携帯型フィールド保守ツールを前記携帯型フィールド保守ツール通信サーバに通信可能に接続すると、前記データ一式をプロセス制御システムの無線通信チャネルを介して前記携帯型フィールド保守ツール通信サーバに自動的に転送するように構成されたことを特徴とする請求項１２又は請求項１３に記載の携帯型フィールド保守ツール。
【請求項１５】
前記クライアントアプリケーションは、前記プロセッサによって実行されると、前記携帯型フィールド保守ツールがすでに前記携帯型フィールド保守ツール通信サーバと通信状態にある場合に前記データ一式の変更が加えられると前記データ一式を前記携帯型フィールド保守ツール通信サーバに自動的に転送するように構成されていること特徴とする請求項１２乃至請求項１４のいずれか１項に記載の携帯型フィールド保守ツール。
【請求項１６】
前記クライアントアプリケーションは、前記プロセッサによって実行されると、前記携帯型フィールド保守ツールが前記携帯型フィールド保守ツール通信サーバと通信状態にない場合に前記データ一式の変更が加えられると前記携帯型フィールド保守ツールと前記携帯型フィールド保守ツール通信サーバの間で通信が確立すると、前記データ一式を前記携帯型フィールド保守ツール通信サーバに転送するように構成されていることを特徴とする請求項１２乃至請求項１５のいずれか１項に記載の携帯型フィールド保守ツール。